(57)【要約】【課題】防犯具として刺股（さすまた）が使用される場合、刺股本体の重さや刺股で対象体を押さえつけ動きを制限することが目的のため、危険がともない熟練と使用者が限定される。よって、対象体の行動の制限や、その捕獲を目的として誰でも容易に使用でき、かつ使用者や対象体に安全な防犯用シートと装着具を提供する。【解決手段】防犯用シートに粘着材層を持ち、取り押さえようとする対象体の一部をシートの粘着面間の接合により取り囲むことで対象体の表面状態（形状や材質）の影響を受けず安定かつ強力に接合し対象体の動きを制限する。対象体への防犯用シートの装着には二股形状で二股の内側に対象体を押入れた時、シートの粘着面間が接合する構造で装着具の材質が刺股ほどの強度を必要としないため軽量、安全であり安価に製作できる。【選択図】図２
2011106748.tif 000002
【特許請求の範囲】
【請求項１】
粘着材層を設けたシートの粘着面間の接合により対象体を取り囲むことで対象体の動きを制限して逃走を防止する防犯用シート。
【請求項２】
請求項１における防犯用シートであり金属線やケブラー等の補強材を設けた防犯用シート。
【請求項３】
シート表面に貫通穴を設けた請求項１〜２何れか記載の防犯用シート。
【請求項４】
請求項１〜３何れか記載の防犯用シートの装着具とし二股形状で二股の内側に対象体を押入れた時、シートの粘着面間が接合する装着具。
【発明の詳細な説明】
【技術分野】
【０００１】
本発明は取り押さえようとする対象体の一部を防犯用シートの粘着面間の接合により取り囲むことで対象体の動きを制限して逃走を防止し且つ使用者の身の安全を図ることができる防犯用シートおよび装着具に関するものである。
【背景技術】
【０００２】
従来、取り押さえようとする対象体への防犯具として刺股（さすまた）が使用される。刺股は先端の二股部で対象体の一部を壁や地面に押し付けて対象体の動きを制限するものである。
【０００３】
しかし、刺股は対象体に押し付けることにより対象体の動きを制限するものなので刺股の強度確保のため本体が重く、かつ使用時の衝撃も大きく取り扱いに熟練を要する。また、危険な対象体を押さえ続ける必要があり、対象体が逆襲に転じる可能性があった。
【０００４】
また刺股には、例えば特開２００６−２９２３４５号公報などの公知技術がある。これは、二股状の構造体に粘着シートを掛け渡すように取付けた粘着型刺股であり、刺股に取付けた粘着シートを対象体に接着させて拘束性向上を図るものである。
【０００５】
しかし、特開２００６−２９２３４５号公報の刺股も対象体の一部を壁や地面に押し付け、対象体の動きを制限するものであり、粘着面を対象体に接着させるため対象体の表面状態（形状や材質）により粘着保持が不確実で容易に取り払われる可能性が大きい。
【先行技術文献】
【特許文献】
【０００６】
【特許文献１】特開２００６−２９２３４５号公報
【発明の概要】
【発明が解決しようとする課題】
【０００７】
解決しようとする問題点は、従来の刺股では二股部で対象体の一部を壁や地面に押し付け対象体の動きを制限するもので使用者に相当の力が必要であること。また、刺股本体の強度確保のため本体重量が重くなること。同時に対象体や使用者とも使用時の衝撃等があるため非常に危険がともない使用者の熟練等が重要となることである。また、特開２００６−２９２３４５号公報に開示される刺股は、粘着面を対象体に接着させて使用するものだが、対象体の表面状態（形状や材質）により粘着保持が不確実である。
【課題を解決するための手段】
【０００８】
本発明は、取り押さえようとする対象体の一部を防犯用シートの粘着面間の接合により取り囲むことで対象体の表面状態（形状や材質）の影響を受けず、安定かつ強力に接合し、対象体の動きを制限する。防犯シートには容易に破断されないよう金属線やケブラー等補強材を設けることができる。また、防犯シートにより対象体の顔面等を覆われても窒息を防止するため貫通穴が設けることができる。
【０００９】
また対象体への防犯用シート装着には装着具を使用する。装着具は二股形状で二股の内側に対象体を押入れた時、二股先端が閉鎖し防犯シートの粘着面どうしが接合するものや、防犯シートを長くすることで二股先端が閉鎖しなくても対象体を押入れた時の反動で防犯シートの粘着面どうしが接合する構造である。装着具と防犯シートは対象体への装着後分離可能であり、防犯シートと装着具の分離時に防犯シート側に格納されているシートの一部や網等を展開することもできる。装着具は刺股のように対象体を力で抑えつけるものではないので刺股ほどの強度は必要なく、防犯シートが対象体に装着可能であれば紙製（ダンボール等）、プラスチック、空気入りビニール等のやわらかい材質を使うことで対象体や使用者にとっても安全である。これにより安価に製作でき取り扱いも容易である。
【発明の効果】
【００１０】
本発明の防犯用シートと装着具は、防犯用シートが取付けられた装着具の二股形状の内側に対象体を押入れ、防犯用シート粘着面間の接合により取り囲むことで対象体の動きを制限して逃走を防止する。装着後は速やかに危険な対象体から離れることができるため安全である。防犯用シートの粘着面間の接合により対象体の表面状態（形状や材質）の影響を受けず、安定かつ強力に接合することができる。装着具は刺股のように対象体を力で抑えつけるものではないので刺股ほどの強度は必要ではなく、防犯用シートが対象体に装着可能であれば、紙製（ダンボール等）、プラスチック、空気入りビニール等のやわらかい材質を使うことで軽量となり対象体や使用者にとっても安全である。これにより安価に製作でき取り扱いも容易である。また、対象体からの攻撃に対し使用者自身の護身に使うことができ、対象体にも安全なため過剰防衛にならない。使用後は速やかに対象体から離脱し、次の防犯用シートと装着具を準備するか、周囲へ連絡を行えばよい。
【００１１】
また対象体は人に限らない。害獣などの攻撃から身を守るなど害獣捕獲時にもこの防犯用シートと装着具は使用できる。
【図面の簡単な説明】
【００１２】
【図１】防犯用シートの一例を示す斜視図と断面図である
【図２】防犯用シート装着状態の一例を示す説明図である。（実施例１）
【図３】防犯用シート装着状態の一例を示す説明図である。（実施例１）
【図４】防犯用シート装着具の作動方法の一例を示す説明図である。（実施例２）
【図５】防犯用シート装着具の作動方法の一例を示す説明図である。（実施例３）
【図６】防犯用シート装着具の作動方法の一例を示す説明図である。（実施例４）
【発明を実施するための形態】
【００１３】
以下、図面を参照しつつ本発明の実施形態について説明する。図1の（イ）は本発明に係る防犯用シートの一例を示す斜視図、図１の（ロ）は図１のロ−ロ断面図である。1はシート本体であり、２は貫通穴である。この貫通穴により対象体の顔面等を防犯用シートにて覆っても窒息を防止できる。３は剥離材層、４は粘着材層、５は基材層を基本として構成する。図には表記していないが、防犯用シートは容易に破断されないよう金属線やケブラー等補強材を設けることができる。また、防犯用シートにはシートの一部や網等を格納し対象体への装着時それらが展開することにより対象体の動きをさらに制限することができる。
【実施例１】
【００１４】
図２は、本発明の防犯用シート1が対象体Tに装着された図である。（イ）は側面図であり（ロ）は上面図である。防犯用シートが対象体を取り囲み対象体の背後にてシートの粘着面間で接合している。
【００１５】
図３は、防犯用シート1が対象体Tの頭部に装着された図である。（イ）は側面図であり（ロ）は上面図である。図２と同じく対象体頭部を取り囲み対象体の背後にてシートの粘着面間で接合している。防犯用シートには貫通穴があるため窒息を防止できる。また、頭部を覆っているため、対象体の動きはさらに制限される。
【実施例２】
【００１６】
図４は、装着具に可動軸を備えた一例であり作動方法を示す上面図である。Aは装着具であり、６は装着具の可動軸である。図４（イ）は対象体Tに対し装着前の状態であり、図４（ロ）は装着具Aを対象体Tに押し入れて防犯シート1が対象体1に巻きつくことで可動軸を介し装着具Aの二股先端部が閉鎖し防犯シートの粘着面間が接合する。防犯用シート1と装着具Aの取り付けは装着時の反動や対象体Tが暴れたり動いたりすることで装着時に容易に外れる構造としている。図４（ハ）は対象体Tに防犯シート１が装着され、装着具Aが外れた状態である。
【実施例３】
【００１７】
図５は、装着具に柔らかい弾性体や空気入りビニール等を用いた一例であり作動方法を示す上面図である。Aは装着具であり、１は防犯用シートである。図５（イ）は対象体Tに対し装着前の状態であり、図５（ロ）は装着具Aを対象体Tに押し入れて防犯シート1が対象体1に巻きつき装着具Aの二股の腕部分が内側に変形するとともに二股先端部が閉鎖し防犯シート1の粘着面間が接合する。装着後は図４（ロ）と同様に装着時に容易に外れる構造としている。図５（ハ）も図４（ハ）と同様に対象体Tに防犯シート１が装着され、装着具Aが外れた状態である。
【実施例４】
【００１８】
図６は、装着具の形状が変化しない一例であり作動方法を示す上面図である。Aは装着具であり、１は防犯用シートである。図６（イ）は対象体Tに対し装着前の状態であり、図６（ロ）は装着具Aを対象体Tに押し入れて防犯シート1が対象体1に巻きついた状態である。防犯用シートを長くすることで装着時の反動により防犯シートの粘着面間の接合が可能となる。装着後は図４（ロ）と同様に装着時に容易に外れる構造としている。図６（ハ）も図４（ハ）と同様に対象体Tに防犯シート１が装着され、装着具Aが外れた状態である。
【産業上の利用可能性】
【００１９】
防犯用シートを用いて、攻撃的な対象体だけでなく逃走の恐れのある者を予防保全的に拘束できる。手錠と違い装着後の拘束に痛みがなく安全である。対象体は人間に限らず害獣にも使用できる。防犯シートと装着具の大きさや機能を追加することでネズミ等小動物への対応も可能である。シートの面で拘束するため力は分散され、シートの粘着面間による強力かつ安定な粘着力により人命救助等に利用することも可能となる。
【符号の説明】
【００２０】
１    防犯シート本体
２    貫通穴
３    剥離材層
４    粘着材層
５    基材層
６    可動軸
A    装着具
T    対象体
【図１】
2011106748.tif 000003
【図２】
2011106748.tif 000004
【図３】
2011106748.tif 000005
【図４】
2011106748.tif 000006
【図５】
2011106748.tif 000007
【図６】
2011106748.tif 000008